(57)【要約】  制御ブリッジ及びポート拡張器から構成される拡張ブリッジにおいて、制御ブリッジは、リンクアグリゲーショングループのアグリゲーションポートをポート拡張器上の同一の端末に接続される複数の拡張ポートと関連付ける。制御ブリッジは、アグリゲーションポートにアグリゲーションポート識別子を割り当てる。制御ブリッジは、複数の拡張ポートの各拡張ポートの拡張ポート識別子及びポート拡張器に接続されるカスケードポートをアグリゲーションポートと関連付けて、複数の拡張ポートのいずれか一つの拡張ポートが受信したアップストリームパケットを通じて拡張ブリッジに進入したイングレスポートがアグリゲーションポートであると認識するのに用いる。制御ブリッジは、アグリゲーションポートをアグリゲーションポート識別子及びカスケードポートと関連付けて、拡張ブリッジを離れるエグレスポートがアグリゲーションポートであるダウンストリームユニキャストパケットにアグリゲーションポート識別子を追加することを決定し、及びカスケードポートを介して、アグリゲーションポート識別子が追加されたダウンストリームユニキャストパケットを送信することを決定するのに用いる。
2019510430.tif 000002
【特許請求の範囲】
【請求項１】
リンクアグリゲーショングループを設定する方法であって、当該方法は、制御ブリッジに応用され、当該制御ブリッジ及びポート拡張器は、拡張ブリッジを構成し、前記方法は、
リンクアグリゲーショングループを設定するステップと、
前記リンクアグリゲーショングループのアグリゲーションポートをポート拡張器の、同一の端末に接続される複数の拡張ポートと関連付けるステップと、
前記アグリゲーションポートにアグリゲーションポート識別子を割り当てるステップと、
前記複数の拡張ポートの各拡張ポートの拡張ポート識別子及び前記ポート拡張器に接続されるカスケードポートを前記アグリゲーションポートと関連付けて、前記複数の拡張ポートのいずれか一つの拡張ポートを介して受信したアップストリームパケットが前記拡張ブリッジに進入したイングレスポートが前記アグリゲーションポートであると認識するのに用いるステップと、
前記アグリゲーションポートを前記アグリゲーションポート識別子及び前記カスケードポートと関連付けて、拡張ブリッジを離れる時に経由するエグレスポートが前記アグリゲーションポートであるダウンストリームユニキャストパケットに前記アグリゲーションポート識別子を追加することを決定し、及び前記カスケードポートを介して、アグリゲーションポート識別子が追加された前記ダウンストリームユニキャストパケットを送信することを決定するのに用いるステップとを含むことを特徴とする方法。
【請求項２】
前記方法は、
前記アグリゲーションポート及び前記アグリゲーションポート識別子を前記ポート拡張器に通知するステップと、
前記アグリゲーションポートと関連付けられた複数の前記拡張ポートを前記ポート拡張器に通知するステップとを更に含むことを特徴とする請求項１に記載の方法。
【請求項３】
リンクアグリゲーショングループを設定する前に、前記方法は、
前記ポート拡張器が送信した前記複数の拡張ポートを確立する要求を受信するステップと、
前記複数の拡張ポートの各拡張ポートに拡張ポート識別子を割り当てるステップと、
各前記拡張ポート及びそれらに割り当てられた前記拡張ポート識別子を前記ポート拡張器に通知するテップとを更に含むことを特徴とする請求項１に記載の方法。
【請求項４】
前記方法は、
前記ポート拡張器が送信した故障通知を受信するステップと、
前記故障通知が指示する故障拡張ポートが前記複数の拡張ポートのうち一つであると確定するステップと、
前記故障拡張ポートの拡張ポート識別子及び前記ポート拡張器に接続されるカスケードポートと前記アグリゲーションポートの関連付けを削除するステップと、
前記ポート拡張器に、前記アグリゲーションポートと前記故障拡張ポートの関連付けを削除するよう通知するステップとを更に含むことを特徴とする請求項１に記載の方法。
【請求項５】
リンクアグリゲーショングループを設定する段階的装置であって、前記装置は、制御ブリッジに応用され、当該制御ブリッジ及びポート拡張器は、拡張ブリッジを構成し、
前記装置は、
リンクアグリゲーショングループを設定し、前記リンクアグリゲーショングループのアグリゲーションポートを前記ポート拡張器の、同一の端末に接続される複数の拡張ポートと関連付ける設定モジュールと、
前記アグリゲーションポートにアグリゲーションポート識別子を割り当て、前記複数の拡張ポートの各拡張ポートの拡張ポート識別子及び前記ポート拡張器に接続されるカスケードポートを前記アグリゲーションポートと関連付けて、前記複数の拡張ポートのいずれか一つの拡張ポートを介して受信したアップストリームパケットが前記拡張ブリッジに進入したイングレスポートが前記アグリゲーションポートであると認識のに用い、前記アグリゲーションポートを前記アグリゲーションポート識別子及び前記カスケードポートと関連付けて、拡張ブリッジを離れる時に経由するエグレスポートが前記アグリゲーションポートであるダウンストリームユニキャストパケットに前記アグリゲーションポート識別子を追加することを決定し、及び前記カスケードポートを介して、アグリゲーションポート識別子が追加された前記ダウンストリームユニキャストパケットを送信することを決定するのに用いる割り当てモジュールとを含むことを特徴とする装置。
【請求項６】
前記装置は、
前記アグリゲーションポート及び前記アグリゲーションポート識別子を前記ポート拡張器に通知し、前記アグリゲーションポートと関連付けられた複数の前記拡張ポートを前記ポート拡張器に通知する通知モジュールを更に含むことを特徴とする請求項５に記載の装置。
【請求項７】
前記装置は、
前記ポート拡張器が送信した前記複数の拡張ポートを確立する要求を受信する受信モジュールと、
前記複数の拡張ポートの各拡張ポートに前記拡張ポート識別子を割り当てる前記割り当てモジュールと、
各前記拡張ポート及びそれらに割り当てられた前記拡張ポート識別子を前記ポート拡張器に通知する前記通知モジュールとを更に含むことを特徴とする請求項５に記載の装置。
【請求項８】
前記受信モジュールは、前記ポート拡張器が送信した故障通知を受信し、
前記割り当てモジュールは、前記故障通知が指示する故障拡張ポートが前記複数の拡張ポートのうちの一つであると確定し、前記故障拡張ポートの拡張ポート識別子及び前記ポート拡張器に接続されるカスケードポートと前記アグリゲーションポートの関連付けを削除し、
前記通知モジュールは、前記ポート拡張器に、前記アグリゲーションポートと前記故障拡張ポートの関連付けを削除するよう通知することを特徴とする請求項５に記載の装置。
【請求項９】
拡張ブリッジシステムであって、当該拡張ブリッジシステムにおける制御ブリッジのカスケードポートは、ポート拡張器のアップストリームポートに接続され、
前記ポート拡張器の複数の拡張ポートは、同一の端末に接続され、
前記制御ブリッジは、リンクアグリゲーショングループを設定し、前記リンクアグリゲーショングループのアグリゲーションポートを前記複数の拡張ポートと関連付け、前記アグリゲーションポートにアグリゲーションポート識別子を割り当て、前記複数の拡張ポートの各拡張ポートの拡張ポート識別子及び前記ポート拡張器に接続されるカスケードポートを前記アグリゲーションポートと関連付けて、前記複数の拡張ポートのいずれか一つの拡張ポートが受信したアップストリームパケットを通じて前記拡張ブリッジに進入したイングレスポートが前記アグリゲーションポートであると認識するのに用い、前記アグリゲーションポートを前記アグリゲーションポート識別子及び前記カスケードポートと関連付けて、拡張ブリッジを離れるエグレスポートが前記アグリゲーションポートであるダウンストリームユニキャストパケットに前記アグリゲーションポート識別子を追加することを決定し、及び前記カスケードポートを介して、アグリゲーションポート識別子が追加された前記ダウンストリームユニキャストパケットを送信することを決定するのに用いることを特徴とする拡張ブリッジシステム。
【請求項１０】
前記制御ブリッジは、前記アグリゲーションポート、前記アグリゲーションポート識別子及び前記アグリゲーションポートと関連付けられた前記複数の拡張ポートを前記ポート拡張器に通知し、
前記ポート拡張器は、前記アグリゲーションポート識別子と前記アグリゲーションポートの関連付けを記録して、前記アグリゲーションポート識別子をキャリーする前記ダウンストリームユニキャストパケットの前記エグレスポートが前記アグリゲーションポートであると決定し、
前記ポート拡張器は、前記複数の拡張ポートが前記アグリゲーションポートのメンバーポートであると記録して、前記拡張ブリッジを離れるエグレスポートが前記アグリゲーションポートである前記ダウンストリームユニキャストパケットのために、前記複数の拡張ポートから前記ダウンストリームユニキャストパケットを送信するための一つを選択するのに用い、及び前記拡張ブリッジを離れるエグレスポートが前記アグリゲーションポートであるダウンストリーム非ユニキャストパケットのために、前記複数の拡張ポートから前記ダウンストリーム非ユニキャストパケットを送信するための一つを選択するのに用いることを特徴とする請求項９に記載のシステム。
【請求項１１】
前記ポート拡張器は、前記制御ブリッジに、前記複数の拡張ポートを確立する要求を送信し、
前記制御ブリッジは、前記複数の拡張ポートを確立する要求を受信し、前記複数の拡張ポートの各拡張ポートに拡張ポート識別子を割り当て、各前記拡張ポート及びそれらに割り当てられた前記拡張ポート識別子を前記ポート拡張器に通知し、
前記ポート拡張器は、各前記拡張ポート及びそれらに割り当てられた前記拡張ポート識別子を受信し、各前記拡張ポート及びそれらに割り当てられた前記拡張ポート識別子記録を記録して、各前記拡張ポートが受信したアップストリームパケットにそれらに割り当てられた前記拡張ポート識別子を追加することを決定するのに用いることを特徴とする請求項９に記載のシステム。
【請求項１２】
前記ポート拡張器は、故障通知を送信し、
前記制御ブリッジは、前記故障通知を受信し、前記故障通知が指示する故障拡張ポートが前記複数の拡張ポートのうちの一つであると確定し、故障拡張ポートの拡張ポート識別子及び前記ポート拡張器に接続されるカスケードポートと前記アグリゲーションポートの関連付けを削除し、前記ポート拡張器に、前記アグリゲーションポートと前記故障拡張ポートの関連付けを削除するよう通知し、
前記ポート拡張器は、前記故障拡張ポートを前記アグリゲーションポートのメンバーポートから削除して、前記アグリゲーションポートと前記故障拡張ポートの関連付けを削除することを特徴とする請求項９に記載のシステム。
【発明の詳細な説明】
【背景技術】
【０００１】
本願は、２０１６年３月３１日に中国特許庁に提出された中国特許出願２０１６１０２０１７５２.３（発明の名称：「リンクアグリゲーショングループの設定方法及び装置」）、２０１６年３月３１日に中国特許庁に提出された中国特許出願２０１６１０２０１７６１.２（発明の名称：「リンクアグリゲーショングループの設定方法及び装置」）及び２０１６年３月３１日に中国特許庁に提出された中国特許出願２０１６１０２０２１６５.６（発明の名称：「システム及びリンクアグリゲーショングループを設定する方法及び装置」）の優先権を主張し、この三つの特許出願の全ての内容が援用により本願に取り込まれる。
【０００２】
拡張ブリッジ（Ｅｘｔｅｎｄｅｄ  Ｂｒｉｄｇｅ）は、制御ブリッジ（ＣＢ、Ｃｏｎｔｒｏｌｌｉｎｇ  Ｂｒｉｄｇｅ）及びポート拡張器（ＰＥ、Ｐｏｒｔ  Ｅｘｔｅｎｄｅｒ）から構成される。制御ブリッジは、単一のネットワーク設備又は複数のネットワーク設備から構成される。
【図面の簡単な説明】
【０００３】
【図１】本開示のリンクアグリゲーショングループを設定するフローチャートの例である。
【図２Ａ】本開示のリンクアグリゲーショングループを設定する拡張ブリッジの構成例を示す図面である。
【図２Ｂ】本開示のリンクアグリゲーショングループを設定する拡張ブリッジの構成例を示す図面である。
【図３Ａ】本開示のリンクアグリゲーショングループを設定する他の拡張ブリッジの構成例を示す図面である。
【図３Ｂ】本開示のリンクアグリゲーショングループを設定する他の拡張ブリッジの構成例を示す図面である。
【図４】本開示のリンクアグリゲーショングループを設定する装置の構成例を示す図面である。
【発明を実施するための形態】
【０００４】
以下、添付図面に示す複数の例を通じて、本開示を説明する。
使用される用語の中、用語「…を含む」は、…を含むがこれに限定されないことを示し、用語「…を含有する」は、…を含むがこれらに限定されないことを示し、用語「…に基づく」は、少なくともそのうちの一部に基づくことを示す。尚、用語「一」は、特定の構成部分の一つを示すことを意図する。
【０００５】
図１は、本開示のリンクアグリゲーショングループを設定するフローチャートの例であり、当該例に応用される制御ブリッジ及びポート拡張器は、拡張ブリッジを構成する。図１に示すように、当該例は、
リンクアグリゲーショングループを設定するステップ１０１と、
リンクアグリゲーショングループのアグリゲーションポートをポート拡張器の、同一の端末に接続される複数の拡張ポートと関連付けるステップ１０２と、
当該アグリゲーションポートにアグリゲーションポート識別子を割り当てるステップ１０３と、
当該複数の拡張ポートの各拡張ポートの拡張ポート識別子及びポート拡張器に接続されるカスケードポートをアグリゲーションポートと関連付けて、複数の拡張ポートのいずれか一つの拡張ポートを介して受信したアップストリームパケットが拡張ブリッジに進入したイングレスポートがアグリゲーションポートであると認識するのに用いるステップ１０４と、
アグリゲーションポートをアグリゲーションポート識別子及びカスケードポートと関連付けて、拡張ブリッジを離れる時に経由するエグレスポートがアグリゲーションポートであるダウンストリームユニキャストパケットにアグリゲーションポート識別子を追加することを決定し、及びカスケードポートを介してアグリゲーションポート識別子が追加されたダウンストリームユニキャストパケットを送信することを決定するのに用いるステップ１０５とを含む。
【０００６】
図１に示す例は、拡張ブリッジシステムに応用されて、拡張ブリッジのポート拡張器に、リンクアグリゲーショングループを介して端末に送られるダウンストリームパケットの負荷を分担させ、端末から受信されるアップストリームパケットの負荷を分担させる。
【０００７】
図２Ａにおいて、ポート拡張器２１、２２及び制御ブリッジ２３は、拡張ブリッジ２４を構成する。ポート拡張器２１のアップストリーム（ｕｐｓｔｒｅａｍ  ｌｉｎｋ）ポート２１−１と制御ブリッジ２３のカスケード（Ｃａｓｃａｄｅ）ポート２３−１の間は、リンクを介して接続される。ポート拡張器２２のアップストリームポート２２−１と制御ブリッジ２３のカスケードポート２３−２の間は、リンクを介して接続される。
【０００８】
ポート拡張器２１は、拡張ポート２１−２−１及び２１−２−２のために、それぞれ制御ブリッジ２３に、拡張ポート確立要求（Ｅｘｔｅｎｄｅｄ Ｐｏｒｔ  Ｃｒｅａｔｅ  ｒｅｑｕｅｓｔ）メッセージを送信する。ポート拡張器２１は、当該拡張ポート確立要求メッセージを、アップストリームポート２１−１を介して、制御ブリッジ２３に送信する。
【０００９】
ポート拡張器２２は、拡張ポート２２−２及び２２−３のために、それぞれ制御ブリッジ２３に拡張ポート確立要求メッセージを送信する。ポート拡張器２２は、アップストリームポート２２−１を介して、これらの拡張ポート確立要求メッセージを送信する。
【００１０】
制御ブリッジ２３は、カスケードポート２３−１を介して、ポート拡張器２１からの拡張ポート確立要求メッセージを受信し、カスケードポート２３−２を介して、ポート拡張器２２からの拡張ポート確立要求メッセージを受信する。
【００１１】
制御ブリッジ２３は、拡張ポート２１−２−１及び２１−２−２のために、それぞれＥ−ｃｈａｎｎｅｌを確立し、カスケードポート２３−１のポートネームスペース（ｎａｍｅｓｐａｃｅ）によって、拡張ポート２１−２−１及び２１−２−２に、それぞれＥＣＩＤ−２１−２−１及びＥＣＩＤ−２１−２−２を割り当てて、それぞれ拡張ポート２１−２−１及び２１−２−２のために確立したＥ−ｃｈａｎｎｅｌを認識するのに用いる。制御ブリッジ２３は、拡張ポート２１−２−１及び２１−２−２のために、それぞれ仮想ポートＶＰ２１−２−１及びＶＰ２１−２−２設定して、拡張ポート２１−２−１及び２１−２−２に、制御ブリッジ２３上で仮想ポートＶＰ２１−２−１及びＶＰ２１−２−２として表現させる。
【００１２】
制御ブリッジ２３は、拡張ポート２２−２及び２２−３のために、それぞれＥ−ｃｈａｎｎｅｌを確立し、カスケードポート２３−２のポートネームスペースによって、拡張ポート２２−２及び２２−３に、それぞれＥＣＩＤ−２２−２及びＥＣＩＤ−２２−３を割り当てて、拡張ポート２２−２及び２２−３のためにそれぞれ確立したＥ−ｃｈａｎｎｅｌを認識するのに用いる。制御ブリッジ２３は、更に、拡張ポート２２−２及び２２−３のために、仮想ポートＶＰ２２−２及びＶＰ２２−３を設定して、拡張ポート２２−２及び２２−３に、制御ブリッジ２３でそれぞれ仮想ポートＶＰ２２−２及びＶＰ２２−３として表現させる。
【００１３】
制御ブリッジ２３は、例えば、表１−１に示すように、アップストリーム表に、ＥＣＩＤ、カスケードポート、ＥＣＩＤ及びカスケードポートと関連付けられた仮想ポートを記録する。
【００１４】
【表１】
2019510430.tif 000003
【００１５】
制御ブリッジ２３は、例えば、表２−１に示すように、ダウンストリーム表に、各仮想ポート、その関連付けられたＥＣＩＤ及びカスケードポートを記録する。
【００１６】
【表２】
2019510430.tif 000004
【００１７】
制御ブリッジ２３は、カスケードポート２３−１を介して、拡張ポート確立応答（Ｅｘｔｅｎｄｅｄ  Ｐｏｒｔ  Ｃｒｅａｔｅ  Ｒｅｓｐｏｎｓｅ）メッセージを送信し、ポート拡張器２１に、それぞれ拡張ポート２１−２−１に割り当てられたＥＣＩＤ−２１−２−１及び拡張ポート２１−２−２に割り当てられたＥＣＩＤ−２１−２−２を通知する。制御ブリッジ２３は、カスケードポート２３−２を介して、拡張ポート確立応答メッセージを送信し、ポート拡張器２２に、拡張ポート２２−２に割り当てられたＥＣＩＤ−２２−２及び拡張ポート２２−３に割り当てられたＥＣＩＤ−２２−３を通知する。
【００１８】
ポート拡張器２１は、拡張ポート確立応答メッセージを受信すると、表３−１に示すアップストリーム表に、拡張ポート及びその関連付けられたＥＣＩＤを記録し、表４−１に示すダウンストリーム表に、ＥＣＩＤ及びその関連付けられた拡張ポートを記録する。
【００１９】
【表３】
2019510430.tif 000005
【００２０】
【表４】
2019510430.tif 000006
【００２１】
ポート拡張器２２は、拡張ポート確立応答メッセージを受信すると、表５−１に示すアップストリーム表に、各拡張ポート及びその関連付けられたＥＣＩＤを記録し、表６−１に示すダウンストリーム表に、各ＥＣＩＤ及びその関連付けられた拡張ポートを記録する。
【００２２】
【表５】
2019510430.tif 000007
【００２３】
【表６】
2019510430.tif 000008
【００２４】
制御ブリッジ２３は、ポート拡張器２１の拡張ポート２１−２−１及び拡張ポート２１−２−２を制御して、端末２５とのリンク接続を確立させ、ポート拡張器２２の拡張ポート２２−２を制御して、端末２６とのリンク接続を確立させ、ポート拡張器２２の拡張ポート２２−３を制御して、端末２７とのリンク接続を確立させる。
【００２５】
制御ブリッジ２３は、リンクアグリゲーショングループ２１−２を設定し、リンクアグリゲーショングループ２１−２のアグリゲーションポートＬＡＧ２１−２を設定し、アグリゲーションポートＬＡＧ２１−２を、拡張ポート２１−２−１及び拡張ポート２１−２−２と関連付ける。このように、拡張ポート２１−２−１及び拡張ポート２１−２−１は、アグリゲーションポートＬＡＧ２１−２の二つのメンバーポートに設定される。制御ブリッジ２３は、アグリゲーションポートＬＡＧ２１−２のために、仮想ポートＶＰ２１−２を設定し、アグリゲーションポートＬＡＧ２１−２に、制御ブリッジ２３上で仮想ポートＶＰ２１−２として表現させる。制御ブリッジ２３は、アグリゲーションポートＬＡＧ２１−２のために、Ｅ−ｃｈａｎｎｅｌを確立する。制御ブリッジ２３は、スケードポート２３−１のポートネームスペースによって、アグリゲーションポートＬＡＧ２１−２にＥＣＩＤ−２１−２を割り当てて、アグリゲーションポートＬＡＧ２１−２のために確立されたＥ−ｃｈａｎｎｅｌを認識するのに用いる。
【００２６】
制御ブリッジ２３は、表１−２に示すように、アップストリーム表内のＥＣＩＤ−２１−２−１及びカスケードポート２３−１と関連付けられた仮想ポートＶＰ２１−２−１を、仮想ポートＶＰ２１−２に取り替え、ＥＣＩＤ−２１−２−２及びカスケードポート２３−１と関連付けられた仮想ポートＶＰ２１−２−２を、仮想ポートＶＰ２１−２に取り替える。
【００２７】
【表７】
2019510430.tif 000009
【００２８】
制御ブリッジ２２は、表１−２に示すアップストリーム表に示すように、ＥＣＩＤ−２１−２−１及びカスケードポート２３−１を仮想ポートＶＰ２１−２と関連付けることにより、ＥＣＩＤ−２１−２−１及びカスケードポート２３−１を、アグリゲーションポートＬＡＧ２１−２関連付けて、拡張ポート２１−２−１を介して受信したアップストリームパケットが拡張ブリッジ２４に進入したイングレスポートがアグリゲーションポートＬＡＧ２１−２であると認識するのに用いる。制御ブリッジ２２は、表１−２に示すようなアップストリーム表に記録されたＥＣＩＤ−２１−２−２及びカスケードポート２３−１を、仮想ポートＶＰ２１−２と関連付けらことにより、ＥＣＩＤ−２１−２−２及びカスケードポート２３−１を、アグリゲーションポートＬＡＧ２１−２と関連付けて、拡張ポート２１−２−２を介して受信したアップストリームパケットが拡張ブリッジ２４に進入したイングレスポートがアグリゲーションポートＬＡＧ２１−２であると認識するのに用いる。
【００２９】
制御ブリッジ２３は、表２−２に示すように、ダウンストリーム表に、仮想ポートＶＰ２１−２、その関連付けられたＥＣＩＤ−２１−２及びカスケードポート２３−１を記録する。
【００３０】
【表８】
2019510430.tif 000010
【００３１】
制御ブリッジ２２は、仮想ポートＶＰ２１−２を、ＥＣＩＤ−２１−２及びカスケードポート２３−１と関連付けることにより、拡張ブリッジ２４を離れる時に経由するエグレスポートがアグリゲーションポートＬＡＧ２１−２であるダウンストリームユニキャストパケットに、ＥＣＩＤ−２１−２を追加することを決定し、及びカスケードポート２３−１を介して、ＥＣＩＤ−２１−２が追加されたダウンストリームユニキャストパケットを送信することを決定するのに用いる。
【００３２】
制御ブリッジ２３は、ポート拡張器２１に、ポート拡張器制御及び状態プロトコル（ＰＥ  ＣＳＰ、Ｐｏｒｔ  Ｅｘｔｅｎｄｅｒ  Ｃｏｎｔｒｏｌ  ａｎｄ  Ｓｔａｔｕｓ  Ｐｒｏｔｏｃａｌ）パケットを送信し、その内、ＰＥ  ＣＳＰパケットのタイプ−長さ−値（Ｔ−Ｌ−Ｖ）フィールドには、アグリゲーションポートＬＡＧ２１−２、アグリゲーションポートＬＡＧ２１−２のＥＣＩＤ−２１−２、アグリゲーションポートＬＡＧ２１−２と関連付けられた拡張ポート２１−２−１、及び拡張ポート２１−２−２がキャリーされている。
【００３３】
ポート拡張器２１は、ＰＥ  ＣＳＰパケットを受信した後、表４−２に示すように、ダウンストリーム表に、ＥＣＩＤ−２１−２及びその関連付けられたアグリゲーションポートＬＡＧ２１−２を記録する。
【００３４】
【表９】
2019510430.tif 000011
【００３５】
ポート拡張器２１は、ＥＣＩＤ−２１−２をアグリゲーションポートＬＡＧ２１−２と関連付けて、ＥＣＩＤ２１−２をキャリーするダウンストリームユニキャストパケットが拡張ブリッジ２４を離れる時に経由するエグレスポートがアグリゲーションポートＬＡＧ２１−２であると決定するのに用いる。
【００３６】
ポート拡張器２１は、表７に示すアグリゲーションポート表に、アグリゲーションポートＬＡＧ２１−２、その関連付けられた拡張ポート２１−２−１及び２１−２−２を記録する。
【００３７】
【表１０】
2019510430.tif 000012
【００３８】
ポート拡張器２１は、アグリゲーションポート表によって、各アグリゲーションポートと関連付けられたメンバーポートを確定する。ポート拡張器２１は、アグリゲーションポート表によって、拡張ブリッジ２４を離れるエグレスポートがアグリゲーションポートＬＡＧ２１−２であるダウンストリームユニキャストパケットのために、拡張ポート２１−２−１及び拡張ポート２１−２−２の内一つを選択して、ダウンストリームユニキャストパケットを送信する。
【００３９】
図２Ｂが示すように、制御ブリッジ２３は、ポート拡張器２１が端末２５に接続される二つの物理リンクを、リンクアグリゲーショングループ２１−２に設定し、ポート拡張器２１と端末２５の間のリンクの信頼性を向上させる。
【００４０】
端末２５は、負荷分担アルゴリズムに基づいて、ポート拡張器２１に接続される二つのリンクから、拡張ポート２１−２−１に接続されるリンクを選択して、イーサネット（登録商標）ブロードキャストパケットを送信する。
【００４１】
ポート拡張器２１は、拡張ポート２１−２−１を介して、イーサネットブロードキャストパケットを受信すると、イーサネットブロードキャストパケットに、拡張ポート仮想ＬＡＮ識別子（ＶＩＤ、Ｅｘｔｅｎｄｅｄ  Ｐｏｒｔ  ＶＬＡＮ  ＩＤ）がＥＣＩＤ−２１−２−１である拡張仮想ＬＡＮタグ（ＥＴＡＧ、Ｅｘｔｅｎｓｉｏｎ  ＶＬＡＮ  Ｔａｇ）を挿入し、アップストリームポート２１−１を介して送信する。
【００４２】
制御ブリッジ２３は、カスケードポート２３−１を介して、ＥＴＡＧ付きのイーサネットブロードキャストパケットを受信し、ＥＣＩＤ−２１−２−１及びカスケードポート２３−１に基づいて、アップストリーム表（表１−２に示す）内で、仮想ポートＶＰ２１−２を探し出し、アグリゲーションポートＬＡＧ２１−２が、イーサネットブロードキャストパケットが拡張ブリッジ２４に進入するイングレスポート（ｉｎｇｒｅｓｓ  ｐｏｒｔ）であると確定する。
【００４３】
制御ブリッジ２３は、イーサネットブロードキャストパケットのソースＭＡＣアドレス、ＶＬＡＮ及び仮想ポートＶＰ２１−２によって、ＭＡＣアドレスエントリを学習する。制御ブリッジ２３は、イーサネットブロードキャストパケットを複製する。本開示において、制御ブリッジ２３は、一つの複製により生成されるイーサネットブロードキャストパケットがキャリーするＥＴＡＧのソース拡張ポート仮想ＬＡＮ識別子（ＳＶＩＤ、Ｓｏｕｒｃｅ  Ｅｘｔｅｎｄｅｄ  Ｐｏｒｔ  ＶＬＡＮ  ＩＤ）をＥＣＩＤ−２１−２に設定し、ＥＴＡＧのＶＩＤをブロードキャストＥＣＩＤに取り替え、カスケードポート２３−１を介して送信する。本開示において、ポート拡張器２１のリンクアグリゲーショングループ２１−２は、端末２５に接続され、制御ブリッジ２３は、アップストリームイーサネットブロードキャストパケットのＶＩＤによって、イングレスポートがアグリゲーションポートＬＡＧ２１−２であると確定する。このため、制御ブリッジ２３は、アグリゲーションポートＬＡＧ２１−２のＥＣＩＤ２１−２を、ダウンストリームイーサネットブロードキャストパケットのＳＶＩＤ内に設定して、ポート拡張器２１がリンクアグリゲーショングループ２１−２を介して端末２５からのダウンストリームブロードキャストパケットを送信することを避ける。
【００４４】
制御ブリッジ２３は、一つの複製により生成されるイーサネットブロードキャストパケットのＥＴＡＧのＶＩＤをブロードキャストＥＣＩＤに設定し、カスケードポート２３−２を介して送信する。制御ブリッジ２３は、ポートネームスペースによって、アグリゲーションポートＬＡＧ２１−２にＥＣＩＤ−２１−２を割り当て、一つのカスケードポートから受信したアップストリームイーサネットブロードキャストパケットが他のカスケードポートを介して送信される時、アップストリームイーサネットブロードキャストパケットのＥＴＡＧのＶＩＤを、ダウンストリームイーサネットブロードキャストパケットのＥＴＡＧのＳＶＩＤに複製する必要がない。制御ブリッジ２３は、グローバルネームスペースによって、アグリゲーションポートＬＡＧ２１−２にＥＣＩＤを割り当てても良く、従って、制御ブリッジは、一つのカスケードポートから受信したアップストリームイーサネットブロードキャストパケットが他のカスケードポートを介して送信される時、アップストリームイーサネットブロードキャストパケットのＥＴＡＧのＶＩＤを、ダウンストリームイーサネットブロードキャストパケットのＥＴＡＧのＳＶＩＤに複製する。
【００４５】
ポート拡張器２１は、アップストリームポート２１−１を介して、イーサネットブロードキャストパケットを受信し、その内、ＥＴＡＧのＶＩＤは、ブロードキャストＥＣＩＤであり、ＳＶＩＤは、ＥＣＩＤ−２１−２である。ポート拡張器２１は、ブロードキャストＥＣＩＤのポートリストに、アグリゲーションポートＬＡＧ２１−２が含まれていることを探し出し、ＳＶＩＤのＥＣＩＤ−２１−２がブロードキャストＥＣＩＤのポートリストのアグリゲーションポートＬＡＧ２１−２に対応されると確定すると、アグリゲーションポートＬＡＧ２１−２を介してブロードキャストパケットを送信しない。
【００４６】
ポート拡張器２２は、アップストリームポート２２−１を介して、イーサネットブロードキャストパケットを受信し、その内、ＥＴＡＧのＶＩＤは、ブロードキャストＥＣＩＤである。ポート拡張器２２は、ブロードキャストＥＣＩＤのポートリストに、拡張ポート２２−２及び拡張ポート２２−３が含まれていることを探し出す。ポート拡張器は、受信したイーサネットブロードキャストパケットのＥＴＡＧを除去し、イーサネットブロードキャストパケットを複製し、それぞれ拡張ポート２２−２及び２２−３を介して、イーサネットブロードキャストパケットを送信して、端末２６及び２７が、それぞれ当該イーサネットブロードキャストパケットを受信するようにする。
【００４７】
端末２７は、イーサネットブロードキャストパケットを送信する。ポート拡張器２２は、拡張ポート２２−２を介して、イーサネットブロードキャストパケットを受信し、アップストリーム表（表５−１に示すごとく）内の拡張ポート２２−２と関連付けられたＥＣＩＤ−２２−２に基づいて、イーサネットブロードキャストパケットに、ＶＩＤがＥＣＩＤ−２２−２であるＥＴＡＧを挿入し、アップストリームポート２２−１を介して送信する。
【００４８】
制御ブリッジ２３は、カスケードポート２３−２を介して、ＥＴＡＧ付きのイーサネットブロードキャストパケットを受信し、ＥＣＩＤ−２２−２及びカスケードポート２３−２に基づいて、アップストリーム表（表１−２に示すごとく）内で仮想ポートＶＰ２２−２を探し出し、イーサネットブロードキャストパケットのソースＭＡＣアドレス、ＶＬＡＮ及び仮想ポートＶＰ２２−２によって、ＭＡＣアドレスエントリを確定する。制御ブリッジ２３は、イーサネットブロードキャストパケットを複製する。制御ブリッジ２３は、一つの複製により生成されるイーサネットブロードキャストパケットのＥＴＡＧのＶＩＤのＥＣＩＤ−２２−２をＳＶＩＤに複製し、ＥＴＡＧのＶＩＤをブロードキャストＥＣＩＤに取り替え、カスケードポート２３−２を介して送信する。本開示において、制御ブリッジ２３は、ＥＣＩＤ−２２−２が単一の拡張ポートのＥＣＩＤであると確定すると、ＶＩＤのＥＣＩＤ−２２をＳＶＩＤに複製し、イーサネットブロードキャストパケットが端末２７に再度送り返されることを避ける。
【００４９】
制御ブリッジ２３は、一つの複製により生成されるイーサネットブロードキャストパケットのＥＴＡＧのＶＩＤを、ブロードキャストＥＣＩＤに設定し、カスケードポート２３−１を介して送信する。
【００５０】
ポート拡張器２２は、アップストリームポート２２−１を介して、ＥＴＡＧのＶＩＤがブロードキャストＥＣＩＤであるイーサネットブロードキャストパケットを受信し、ブロードキャストＥＣＩＤのポートリストに、拡張ポート２２−２及び拡張ポート２２−３が含まれていることを探し出す。ポート拡張器２１は、ＳＶＩＤのＥＣＩＤ−２２−２がブロードキャストＥＣＩＤのポートリストに含まれる拡張ポート２２−２に対応すると確定する。ポート拡張器２２は、ＥＴＡＧを除去し、拡張ポート２２−２を介して、イーサネットブロードキャストパケットを送信し、イーサネットブロードキャストパケットを端末２６にブロードキャストする。
【００５１】
ポート拡張器２１は、アップストリームポート２１−１を介して、ＥＴＡＧのＶＩＤがブロードキャストＥＣＩＤであるイーサネットブロードキャストパケットを受信し、ブロードキャストＥＣＩＤのポートリストに、ＬＡＧ２１−２が含まれていることを探し出す。ポート拡張器２１は、ＥＴＡＧを除去し、負荷分担アルゴリズムに基づいて、表７に示すアグリゲーションポートＬＡＧ２１−２と関連付けられた拡張ポート２１−２−１及び２１−２−２から拡張ポート２１−２−２を選択し、拡張ポート２１−２−２を介して、イーサネットブロードキャストパケットを送信し、イーサネットブロードキャストパケットを端末２５に送信する。
【００５２】
上記のイーサネットブロードキャストパケットは、データパケットであっても良く、プロトコルパケットであっても良く、例えば、ＡＲＰ要求パケットである。
【００５３】
端末２７は、端末２５にイーサネットユニキャストパケットを送信し、その内、ソースＭＡＣアドレスは、端末２７のＭＡＣアドレスＭＡＣ２７であり、目的ＭＡＣアドレスは、端末２５のＭＡＣアドレスＭＡＣ２５である。ポート拡張器２２は、拡張ポート２２−２を介して、イーサネットユニキャストパケットを受信し、拡張ポート２２−２に基づいて、アップストリーム表（表５−１に示すごとく）内で、ＥＣＩＤ−２２−２を探し出し、イーサネットユニキャストパケットに、ＶＩＤがＥＣＩＤ−２２−２であるＥＴＡＧを挿入し、アップストリームポート２２−１を介して、当該ＥＴＡＧがキャリーされているパケットを送信する。
【００５４】
制御ブリッジ２３は、カスケードポート２３−２を介して、ＥＴＡＧ付きのイーサネットユニキャストパケットを受信し、受信したパケット内の目的ＭＡＣアドレスＭＡＣ２５及びＶＬＡＮに基づいて、マッチングする仮想ポートＶＰ２１−２を探し出し、即ち、仮想ポートＶＰ２１−２と関連付けられたアグリゲーションポートＬＡＧ２１−２は、エグレスポート（ｅｇｒｅｓｓ  Ｐｏｒｔ）である。
【００５５】
制御ブリッジ２３は、仮想ポートＶＰ２１−２によって、ダウンストリーム表（表２−２に示すごとく）内でＥＣＩＤ−２１−２及びカスケードポート２３−１を探し出し、エグレスポートがアグリゲーションポートＬＡＧ２１−２であるイーサネットユニキャストパケットに、ＥＣＩＤ−２１−２を追加することを決定し、及びカスケードポート２３−１を介して、ＥＣＩＤ−２１−２が追加されたイーサネットユニキャストパケットを送信することを決定する。制御ブリッジ２３は、イーサネットユニキャストパケットに追加されたＥＴＡＧ内のエグレスポートを指示するＶＩＤをＥＣＩＤ−２１−２に修正し、カスケードポート２３−１を介して送信する。
【００５６】
ポート拡張器２１は、アップストリームポート２１−１を介して、ＥＴＡＧのＶＩＤがＥＣＩＤ−２１−２であるイーサネットユニキャストパケットを受信し、ＥＣＩＤ−２１−２に基づいて、ダウンストリーム表(表４−２に示すごとく)内でＬＡＧ２１−２を探し出す。ポート拡張器２１は、ＥＴＡＧを除去し、負荷分担アルゴリズムに基づいて、アグリゲーションポートＬＡＧ２１−２と関連付けられた拡張ポート２１−２−１及び２１−２−２（表７に示すごとく）から、拡張ポート２１−２−１を選択し、拡張ポート２１−２−１を介して、イーサネットユニキャストパケットを端末２５に送信する。
【００５７】
上記のイーサネットユニキャストパケットは、データパケットであっても良く、プロトコルパケットであっても良く、例えば、ＡＲＰ応答パケットである。図２Ｂの拡張ブリッジ２４において、制御ブリッジ２３は、外部の二層ネットワークから受信したイーサネットユニキャストパケットの目的ＭＡＣアドレスによって、仮想ポートＶＰ２１−２を探し出し、カスケードポート２３−１を介して、ダウンストリームイーサネットユニキャストパケットを送信し、その内、ＥＴＡＧのＶＩＤは、ＥＣＩＤ−２１−２である。ポート拡張器２１は、リンクアグリゲーショングループ２１−２を介して、ダウンストリームイーサネットユニキャストパケットを送信するが、具体的な方式は、上記の説明を参照すれば良く、ここでは詳細に説明しないことにする。
【００５８】
制御ブリッジ２３は、リンクアグリゲーショングループ２１−２を設定することにより、端末２５がポート拡張器２１に送信するアップストリームパケット及びポート拡張器２１が端末２５に送信するダウンストリームパケットの両方とも負荷分担を実現するようにする。
【００５９】
図２Ａ及び図２Ｂに示すシステムにおいて、アップストリームパケットは、ポート拡張器２１又は２２を介して拡張ブリッジ２４に進入するユニキャストパケット及び非ユニキャストパケットを含み、ダウンストリームパケットは、ポート拡張器２１又は２２を介して拡張ブリッジ２４を離れるユニキャストパケット及び非ユニキャストパケットを含む。
【００６０】
図３Ａに示すように、ネットワーク設備３４１及び３４２は、スタッキングリンクを介して、一台のスタッキング設備３４を構成する。ネットワーク設備３４１及び３４２は、マスタデバイス選挙を実行し、ネットワーク設備３４２は、スタッキング設備３４のマスタデバイスとして選挙される。当該スタッキング設備３４は、制御ブリッジ３４として動作する。ポート拡張器３１乃至３３及び制御ブリッジ３４は、拡張ブリッジ３５を構成する。
【００６１】
ポート拡張器３１のアップストリームポートとネットワーク設備３４１のカスケードポートの間は、リンクを介して接続され、ポート拡張器３２のアップストリームポートとネットワーク設備３４２の一つのカスケードポートの間は、リンクを介して接続される。ポート拡張器３３のアップストリームポートとネットワーク設備３４２の他の一つのカスケードポートの間は、リンクを介して接続される。
【００６２】
ポート拡張器３１は、制御ブリッジ３４に、それぞれ拡張ポート３１−２−１、３１−２−２及び３１−２−３に対する拡張ポート確立要求メッセージを送信する。ポート拡張器３１は、これらの拡張ポート確立要求メッセージを、アップストリームポートを介してネットワーク設備３４１に送信する。ネットワーク設備３４１は、スタッキングリンクを介して、拡張ポート確立要求メッセージをネットワーク設備３４２に送信する。
【００６３】
ネットワーク設備３４２は、スタッキングリンクを介して、ポート拡張器３１からの拡張ポート確立要求メッセージを受信し、この三つの拡張ポート３１−２−１、３１−２−２及び３１−２−３のために、それぞれＥ−ｃｈａｎｎｅｌを確立し、ネットワーク設備３４１のカスケードポートのポートネームスペースによって、それぞれこの三つの拡張ポートに、ＥＣＩＤ−３１−２−１、ＥＣＩＤ−３１−２−２及びＥＣＩＤ−３１−２−３を割り当てて、拡張ポート３１−２−１、３１−２−２及び３１−２−３のために、それぞれ確立されたＥ−ｃｈａｎｎｅｌを認識するのに用いる。制御ブリッジ３４は、拡張ポート３１−２−１、３１−２−２及び３１−２−３のために、それぞれ仮想ポートを設定して、拡張ポート３１−２−１、３１−２−２及び３１−２−３に、制御ブリッジ３４でこれらの仮想ポートとして表現させる。
【００６４】
制御ブリッジ３４は、拡張ポート確立応答メッセージをポート拡張器３１に送信し、ポート拡張器３１に、三つの拡張ポート３１−２−１、３１−２−２及び３１−２−３に割り当てられたＥＣＩＤを通知する。ネットワーク設備３４２は、スタッキングリンクを介して、これらの拡張ポート確立応答メッセージを送信し、ネットワーク設備３４１は、カスケードポートを介して、これらの拡張ポート確立応答メッセージを送信する。ポート拡張器３１は、アップストリームポートを介して、これらの拡張ポート確立応答メッセージを受信する。
【００６５】
ネットワーク設備３４２は、二つのカスケードポートを介して、それぞれポート拡張器３２及び３３からの拡張ポート確立要求メッセージを受信し、カスケードポートを介して、拡張ポート確立応答メッセージを、それぞれポート拡張器３２及び３３に送信する。制御ブリッジ３４がポート拡張器３２及び３３のために拡張ポートを確立する方式は、同じであり、ここでは詳細に説明しないことにする。
【００６６】
制御ブリッジ３４は、ポート拡張器３１の拡張ポート３１−２−１、拡張ポート３１−２−２、拡張ポート３１−２−３を制御して、端末３６とのリンクを確立させる。図３Ａで、端末３６は、仮想マシンを実行したサーバである。
【００６７】
制御ブリッジ３４は、リンクアグリゲーショングループ３１−２のアグリゲーションポートＬＡＧ３１−２を設定し、アグリゲーションポートＬＡＧ３１−２を、拡張ポート３１−２−１、拡張ポート３１−２−２及び拡張ポート３１−２−３、即ち、アグリゲーションポートＬＡＧ３１−２の三つのメンバーポートと関連付け、アグリゲーションポートＬＡＧ３１−２の仮想ポートを設定して、アグリゲーションポートＬＡＧ３１−２に、制御ブリッジ３４上で仮想ポートとして表現させる。制御ブリッジ３４は、アグリゲーションポートＬＡＧ３１−２のためにＥ−ｃｈａｎｎｅｌを確立する。制御ブリッジ３４は、ネットワーク設備３４１のカスケードポートのポートネームスペースによって、アグリゲーションポートＬＡＧ３１−２にＥＣＩＤ−３１−２を割り当てて、アグリゲーションポートＬＡＧ３１−２のために確立されたＥ−ｃｈａｎｎｅｌを認識するのに用いる。
【００６８】
制御ブリッジ３４は、ポート拡張器３４にＰＥ  ＣＳＰパケットを送信し、その内、ＰＥ  ＣＳＰパケットのＴ−Ｌ−Ｖフィールドには、アグリゲーションポートＬＡＧ３１−２、アグリゲーションポートＬＡＧ３１−２のＥＣＩＤ−３１−２、アグリゲーションポートＬＡＧ３１−２と関連付けられた拡張ポート３１−２−１、拡張ポート３１−２−２及び拡張ポート３１−２−３がキャリーされている。
【００６９】
ポート拡張器３１は、アグリゲーションポートＬＡＧ３１−２と拡張ポート３１−２−１、拡張ポート３１−２−２、拡張ポート３１−２−３の間の対応関係を記録して、アグリゲーションポートＬＡＧ３１−２のメンバーポートを確定するのに用いる。
【００７０】
図３Ｂが示すように、制御ブリッジ３４は、ポート拡張器３１が端末３６に接続される三つの物理リンクを、リンクアグリゲーショングループ３１−２に設定し、ポート拡張器３１と端末３６の間のリンクの信頼性を向上させる。
【００７１】
ポート拡張器３１が、拡張ポート３１−２−２が故障したと検出した時、制御ブリッジ３４にＰＥ  ＣＳＰパケットを送信し、その内、ＰＥ  ＣＳＰパケットのＴ−Ｌ−Ｖフィールドには、ＥＣＩＤ−３１−２−２及び故障指示情報がキャリーされている。
【００７２】
制御ブリッジ３４は、拡張ポート３１−２−２が故障したことを通知するＰＥ  ＣＳＰパケットを受信すると、ポート拡張器３１に、関連付け関係を削除することを通知するＰＥ  ＣＳＰパケットを送信し、その内、Ｔ−Ｌ−Ｖフィールドには、ＥＣＩＤ−３１−２及びＥＣＩＤ３１−２−２、及び関連付関係を削除する旨の指示情報がキャリーされている。
【００７３】
制御ブリッジ３４は、関連付関係の削除を通知するＰＥ  ＣＳＰパケットを受信すると、ＥＣＩＤ−３１−２と関連付けられたアグリゲーションポートＬＡＧ３１−２の対応する三つの拡張ポートから拡張ポート３１−２−２を削除する。
【００７４】
制御ブリッジ３４は、拡張ポート３１−２−２のために設定されたＥ−ｃｈａｎｎｅｌ及びＥＣＩＤ−３１−２−２を保留し、拡張ポート３１−２−２が回復される時、Ｅ−ｃｈａｎｎｅｌ及びＥＣＩＤが繰り返し設定されることを避ける。または、制御ブリッジ３４は、拡張ポート３１−２−２のために設定されたＥ−ｃｈａｎｎｅｌ及びＥＣＩＤ−３１−２−２を削除する。
【００７５】
ポート拡張器３１は、拡張ポート３１−２−２が回復されたことを検出すると、拡張ポート確立メッセージを送信する。制御ブリッジ３４は、拡張ポート確立応答メッセージを通じて、これらの保留されたＥ−ｃｈａｎｎｅｌ及びＥＣＩＤをポート拡張器３１に通知する。または、ポート拡張器３１は、拡張ポート３１−２−２のために、Ｅ−ｃｈａｎｎｅｌを設定し、ＥＣＩＤを割り当て、仮想ポートを設定する。制御ブリッジ３４は、拡張ポート確立応答メッセージを通じて、ポート拡張器３１に、ＥＣＩＤを保留又はＥＣＩＤを再割り当てるよう通知する。
【００７６】
制御ブリッジ３４は、拡張ポート３１−２−２を制御して、端末３６とのリンク接続を確立させる。制御ブリッジ３４は、アグリゲーションポートＬＡＧ３１−２を拡張ポート３１−２−１、３１−２−２及び３１−２−３と関連付けることを確定し、ＰＥ  ＣＳＰパケットを送信する。その内、ＰＥ  ＣＳＰパケットのＴ−Ｌ−Ｖフィールドには、アグリゲーションポートＬＡＧ３１−２、アグリゲーションポートＬＡＧ３１−２のＥＣＩＤ−３１−２、アグリゲーションポートＬＡＧ３１−２と関連付けられた拡張ポート３１−２−１、拡張ポート３１−２−２及び拡張ポート３１−２−３がキャリーされている。
【００７７】
ポート拡張器３１は、リンクアグリゲーショングループ３１−２を通知するＰＥ  ＣＳＰパケットを受信し、アグリゲーションポートＬＡＧ３１−２のメンバーポートに拡張ポート３１−２−１、拡張ポート３１−２−２、拡張ポート３１−２−３が含まれていることを記録する。制御ブリッジ３４がダウンストリームイーサネットブロードキャストパケット及びダウンストリームイーサネットユニキャストパケットを送信する方式は、図２Ｂにおいて、制御ブリッジ２３がダウンストリームイーサネットブロードキャストパケット及びダウンストリームイーサネットユニキャストパケットを送信する方式と同じである。ポート拡張器３１がダウンストリームパケット及びアップストリームパケットを送信する方式は、図２Ｂにおいて、ポート拡張器２１がダウンストリームパケット、例えば、ダウンストリームイーサネットブロードキャストパケット及びダウンストリームイーサネットユニキャストパケット、及びアップストリームパケット、例えば、アップストリームイーサネットブロードキャストパケット及びアップストリームイーサネットユニキャストパケットを送信する方式と同じであり、ここでは、詳細に説明しないことにする。図３Ｂにおけるリンクアグリゲーショングループ３１−２は、ポート拡張器３１と端末３６の間のリンクの信頼性を向上させ、端末３６がポート拡張器３１に送信するアップストリームパケット及びポート拡張器３１が端末３６に送信するダウンストリームパケット両方とも負荷分担を実現するようにする。
【００７８】
図４は、制御ブリッジ４０の例のブロック図を示す。当該制御ブリッジ４０は、プロセッサ４０１と、非一時的な記憶媒体４０２と、通信インターフェイス４０３と、プロセッサ４０１、非一時的な記憶媒体４０２及び通信インターフェイス４０３を結合させたカップリング機構４０４とを含む。非一時的な記憶媒体４０２には、プロセッサ４０１により実行される複数の機械実行可能指令モジュールが格納される。機械実行可能指令モジュールは、受信モジュール４１０と、設定モジュール４２０と、割り当てモジュール４３０と、通知モジュール４４０とを含む。
【００７９】
設定モジュール４２０は、リンクアグリゲーショングループを設定し、リンクアグリゲーショングループのアグリゲーションポートをポート拡張器の、同一の端末に接続される複数の拡張ポートと関連付ける。割り当てモジュール４３０は、アグリゲーションポートにアグリゲーションポート識別子を割り当て、複数の拡張ポートの各拡張ポートの拡張ポート識別子及びポート拡張器に接続されるカスケードポートをアグリゲーションポートと関連付けて、複数の拡張ポートのいずれか一つの拡張ポートを介して受信したアップストリームパケットが拡張ブリッジに進入したイングレスポートがアグリゲーションポートであると認識するのに用い、アグリゲーションポートをアグリゲーションポート識別子及びカスケードポートと関連付けて、拡張ブリッジを離れる時に経由するエグレスポートがアグリゲーションポートであるダウンストリームユニキャストパケットにアグリゲーションポート識別子を追加することを決定し、カスケードポートを介して、アグリゲーションポート識別子が追加されたダウンストリームユニキャストパケットを送信することを決定するのに用いる。
【００８０】
通知モジュール４４０は、アグリゲーションポート及びアグリゲーションポート識別子をポート拡張器に通知し、アグリゲーションポートと関連付けられた複数の拡張ポートをポート拡張器に通知する。
【００８１】
受信モジュール４１０は、ポート拡張器が送信した複数の拡張ポートを確立する要求を受信する。割り当てモジュール４３０は、複数の拡張ポートの各拡張ポートに拡張ポート識別子を割り当てる。通知モジュール４４０は、各拡張ポートに割り当てられた拡張ポート識別子をポート拡張器に通知する。
【００８２】
受信モジュール４１０は、ポート拡張器が送信した故障通知を受信する。割り当てモジュール４３０は、故障通知が指示する故障拡張ポートが複数の拡張ポートの内一つであると確定し、故障拡張ポートの拡張ポート識別子及びポート拡張器に接続されるカスケードポートとアグリゲーションポートの関連付けを削除する。通知モジュール４４０は、ポート拡張器に、アグリゲーションポートと故障拡張ポートの関連付けを削除するよう通知する。
【００８３】
上記したのは、ただ本開示の好ましい実施例であり、本開示を限定するためのものではない。本開示の精神及び原則内でなされた如何なる変更、均等物による置換及び改良は、いずれも本開示の保護範囲内に含まれる。
【図１】
2019510430.tif 000013
【図２Ａ】
2019510430.tif 000014
【図２Ｂ】
2019510430.tif 000015
【図３Ａ】
2019510430.tif 000016
【図３Ｂ】
2019510430.tif 000017
【図４】
2019510430.tif 000018
【国際調査報告】
2019510430.tif 000019
2019510430.tif 000020
2019510430.tif 000021
2019510430.tif 000022